(57)【要約】【課題】  浴室内に居る人に対して効率良く酸素富化空気を供給することができて、心肺機能の負担を一層軽減でき、且つ充分な疲労回復効果を与えることができ、しかも微細気泡発生装置及び浴室へ送られる酸素富化空気の空気量を所望の値とすることができて商品価値を高めた微細気泡発生浴槽を提供する。【解決手段】  エジェクター５にて循環管路４を流れる浴水に混入した空気を浴水に溶解させ減圧して浴槽１内に微細気泡を発生させる微細気泡発生装置Ａを具備する。酸素富化装置１９に設けた送気手段により酸素富化空気が供給される酸素富化空気供給路２２を設ける。酸素富化空気供給路２２をエジェクター側流路２６と浴室側流路２７とに分岐する。浴室側流路２７を浴室３８内に連通させる。エジェクター側流路２６をエジェクター５に連通接続する。エジェクター側流路２６に流量調整手段を設ける。【選択図】        図１
2006136655.tif 000002
【特許請求の範囲】
【請求項１】
浴槽内に連通する吸入口及び吐出口を連通させる循環管路と、吸入口から浴水を吸い込むと共にこの浴水を吐出口から吐出する循環管路に設けた循環ポンプと、循環管路を流れる浴水に空気を混入する循環管路に設けたエジェクターとを備えて、該エジェクターにて循環管路を流れる浴水に混入した空気を浴水に溶解させ該浴水を減圧することで浴槽内に微細気泡を発生させる微細気泡発生装置を具備し、酸素富化空気を生成する酸素富化装置と、該酸素富化装置に設けた送気手段により酸素富化装置から酸素富化空気が供給される酸素富化空気供給路を設け、該酸素富化空気供給路をエジェクター側流路と浴室側流路とに分岐し、浴室側流路を浴室内に連通させると共に、エジェクター側流路の下流端を前記エジェクターに連通接続して前記エジェクターにて循環管路に混入される空気を酸素富化装置から送気された酸素富化空気とし、前記エジェクター側流路にエジェクター側へ供給される空気流量を調整する流量調整手段を設けて成ることを特徴とする微細気泡発生浴槽。
【請求項２】
上記流量調整手段をオリフィスで構成して成ることを特徴とする請求項１に記載の微細気泡発生浴槽。
【発明の詳細な説明】
【技術分野】
【０００１】
本発明は浴槽内で酸素富化空気からなる微細気泡を発生させることで保温効果、心肺機能の負担軽減、保湿効果が得られる微細気泡発生浴槽に関する。
【背景技術】
【０００２】
微細気泡発生浴槽としては例えば特許文献１に示すものが知られている。このものは浴槽内から吸い込んだ浴水に空気を溶解させると共に該空気を溶解させた浴水を減圧して浴槽内に吐出することで浴槽内に微細気泡を発生させる微細気泡発生装置を備えたもので、この微細起泡発生装置により滞留時間が長い微細気泡を浴槽内に発生させて高い温熱効果を得ると共に浴槽内の浴水を所謂ミルキー状とすることができるものである。
【０００３】
また上記特許文献１に示す微細気泡発生浴槽にあっては、酸素富化膜とファンを備えて、ファンにより大気を酸素富化膜に通過させることで大気よりも酸素濃度を高めたいわゆる酸素富化空気を生成する酸素富化装置を具備しており、この酸素富化装置で生成した酸素富化空気を浴槽内から吸い込んだ浴水に混合することで、酸素富化空気を微細気泡として浴槽内に発生させることができるようになっている。このように酸素富化空気を微細気泡として浴槽内に発生させた場合には、入浴者は酸素富化空気からなる微細気泡に包まれることとなって皮膚呼吸が促進されるようになり、また浴槽内の浴水の水面上、即ち入浴者の口や鼻付近に酸素富化空気を供給することができ、これにより入浴者の心肺機能の負担を軽減することができ、且つ筋肉中の乳酸が酸素により分解される作用が促進されて疲労回復効果も得られる。またこの場合、浴槽内の浴水の酸素濃度が高まるため、皮膚への角質層への水分浸透が溶存酸素量の高いことにより促進され、肌が保湿される。つまり酸素富化空気からなる微細気泡が浴槽内の浴水中に広く分散すると共に長く滞留することにより、浴槽内の浴水中の溶存酸素量がまんべんなく高くなり、角質層の酸素分圧より浴槽内の浴水の酸素分圧が高くなり、浴槽内の浴水中の身体のどの部位においても浸透圧が生じて水分浸透が促進され、また溶存酸素が角質内天然保湿因子（ＮＭＦ）に作用して水分保持能力を向上させ、また溶存酸素が角質内の細胞間脂質に作用して水分保持能力を向上させ、これらにより肌の保湿性が向上する。
【０００４】
しかし上記特許文献１に示す従来例にあっては、浴槽内で発生した微細気泡が浴槽内の浴水の水面まで上昇した後はじけることで、浴室内に間接的に酸素富化空気が供給されるのだが、前述したように微細気泡は浴水中での滞留時間が長いという特徴があるため、浴槽内の浴水の水面付近にある空気の酸素濃度を高め難いという問題がある。また上記酸素富化空気からなる微細気泡を発生させた状態で洗い場等で体を洗ったりする場合があるのだが、この場合には浴槽に入浴していない浴室内に居る人に対して効率良く酸素富化空気を供給することができないといった問題がある。
【特許文献１】特開平４−２３４７号公報
【発明の開示】
【発明が解決しようとする課題】
【０００５】
本発明は上記従来の問題点に鑑みて発明したものであって、酸素富化装置及び微細気泡発生装置により、入浴者の心肺機能の負担を軽減したり、疲労回復効果を与えたり、肌の保湿性を向上させたりできることは勿論、同時に入浴者や浴室の浴槽以外の場所に居る人に対して効率良く酸素富化空気を供給することができて、心肺機能の負担を一層軽減でき、且つ充分な疲労回復効果を与えることができ、加えて微細気泡発生装置及び浴室へ送られる酸素富化空気の空気量を所望の値とすることができ、且つ微細気泡発生装置及び酸素富化装置を駆動した際に浴槽内に余剰の酸素富化空気が大きな気泡となって浴槽内に吐出されることを防止できて商品価値を高めた微細気泡発生浴槽を提供することを課題とする。
【課題を解決するための手段】
【０００６】
上記課題を解決するために本発明に係る微細気泡発生浴槽は、浴槽１内に連通する吸入口２及び吐出口３を連通させる循環管路４と、吸入口２から浴水を吸い込むと共にこの浴水を吐出口３から吐出する循環管路４に設けた循環ポンプ６と、循環管路４を流れる浴水に空気を混入する循環管路４に設けたエジェクター５とを備えて、該エジェクター５にて循環管路４を流れる浴水に混入した空気を浴水に溶解させ該浴水を減圧することで浴槽１内に微細気泡を発生させる微細気泡発生装置Ａを具備し、酸素富化空気を生成する酸素富化装置１９と、該酸素富化装置１９に設けた送気手段により酸素富化装置１９から酸素富化空気が供給される酸素富化空気供給路２２を設け、該酸素富化空気供給路２２をエジェクター側流路２６と浴室側流路２７とに分岐し、浴室側流路２７を浴室３８内に連通させると共に、エジェクター側流路２６の下流端を前記エジェクター５に連通接続して前記エジェクター５にて循環管路４に混入される空気を酸素富化装置１９から送気された酸素富化空気とし、前記エジェクター側流路２６にエジェクター５側へ供給される空気流量を調整する流量調整手段を設けて成ることを特徴とする
上記構成を有することで、微細気泡発生装置Ａの循環ポンプ６及び酸素富化装置１９の送気手段を駆動して、送気手段により酸素富化空気供給路２２を介して微細気泡発生装置Ａのエジェクター５及び浴室３８に同時に酸素富化空気を供給することができる。これにより微細気泡発生装置Ａでは酸素富化装置１９から供給された酸素富化空気からなる微細気泡を浴槽１内の浴水中に発生させることができ、従来例同様、心肺機能の負担を軽減したり、疲労回復効果が得られたり、肌の保湿性を向上できたりすることは勿論、これと同時に浴室側流路２７からは直接浴室３８内に酸素富化空気が供給されるため、浴室３８に居る人の心肺機能の負担を一層軽減でき、且つ浴室３８に居る人に充分な疲労回復効果を与えることができる。さらに本発明ではエジェクター側流路２６の途中にエジェクター５側へ供給される空気流量を調整する流量調整手段を設けているので、エジェクター側流路２６及び浴室側流路２７へ送られる酸素富化空気の空気量を所望の値とすることができ、またこれにより微細気泡発生装置Ａ及び酸素富化装置１９を駆動した際には、余剰の酸素富化空気が大きな気泡となって浴槽１内に吐出されることを防止できて商品価値を高められる。
【０００７】
また上記流量調整手段をオリフィス３５で構成することも好ましく、簡単な構成で上記作用効果を実現できる。
【発明の効果】
【０００８】
本発明では、浴槽内に酸素富化空気からなる微細気泡を発生させる微細気泡発生装置により、心肺機能の負担を軽減したり、疲労回復効果を得たり、肌の保湿性を向上させたりできることは勿論、同時に入浴者や浴室における浴槽以外の場所に居る人に対して効率良く酸素富化空気を供給することができて、心肺機能の負担を一層軽減でき、且つ充分な疲労回復効果を与えることができ、更には微細気泡発生装置及び浴室へ送られる酸素富化空気の空気量を所望の値とすることができ、且つ微細気泡発生装置及び酸素富化装置を駆動した際に浴槽内に余剰の酸素富化空気が大きな気泡となって浴槽内に吐出されることを防止できて商品価値を高められる。
【発明を実施するための最良の形態】
【０００９】
以下、本発明を添付図面に示す実施形態に基いて説明する。図２に示すようにユニットバスルームからなる浴室３８内の底部には床パン３９を設けてあり、床パン３９には浴槽１を設置してある。浴槽１には図２や図６等に示すように浴槽１内から吸い込んだ浴水に外部から取り込んだ空気を溶解させると共に該浴水を減圧することで浴槽１内に微細気泡を発生させる微細気泡発生装置Ａを設けてあり、また本例の浴槽１には浴槽１内から吸い込んだ浴水に空気を巻き込むと共に空気を巻き込んだ気泡入りの浴水を浴槽１内に噴出するジェットバス装置Ｂを設けてある。なお図２では後述する酸素富化空気供給路２２の図示を省略してあり、また図６では後述する浴室側流路２７の図示を省略している。
【００１０】
微細気泡発生装置Ａは図１に示すように吸入口２と吐出口３と循環管路４とエジェクター５と循環ポンプ６と溶解タンク７とで主体が構成されている。吸入口２及び吐出口３はともに浴槽１の側壁１ａの下部に設けてあって浴槽１内に連通しており、吸入口２から浴槽１内の浴水を吸入し、吐出口３から浴槽１内に向けて微細気泡を含んだ浴水を吐出できるようになっている。吸入口２と吐出口３は浴槽１外に配管した循環管路４にて連通させてある。循環管路４の途中には循環ポンプ６を配置してあり、この循環ポンプ６の駆動により浴槽１内の浴水を吸入口２から吸入して吐出口３から浴槽１内に吐出するようになっている。
【００１１】
循環管路４の循環ポンプ６よりも上流側にはエジェクター５を設けている。図３に示すようにエジェクター５は一端に循環管路４から流れてきた浴水が流入する流入口８を有し他端に浴水を流出する流出口９を有する筒状の本体部１０で主体が構成されている。本体部１０の内面の軸方向における一部からは流出口９側程徐々に縮径する縮径筒状部１１を流出口９側に向けて一体に突設してあり、縮径筒状部１１の下流端開口は流出口９に向けて開口している。縮径筒状部１１の外周面と本体部１０の内周面との間には環状の空間からなる空気吸入部１２を形成してあり、本体部１０の空気吸入部１２に対応する箇所からは空気吸入部１２に連通する空気吸入口１３を外方に向けて突設している。そして循環ポンプ６の駆動により浴水がエジェクター５を通過するとき空気吸入口１３から空気吸入部１２に空気を取り込んで浴水に空気を混入するようになっている。
【００１２】
また図１に示すように循環管路４の循環ポンプ６及びエジェクター５の下流側には溶解タンク７を配置してあり、エジェクター５で混入した空気を浴水に溶解させるようになっている。溶解タンク７内では蛇行した経路に浴水を通過させるなどして浴水に空気を溶解させるようになっている。また吐出口３は空気が溶解した浴水を減圧して吐出させるノズルからなり、該吐出口３で浴水を減圧することで溶解した空気が微細気泡となり、微細気泡を含んだ浴水を浴槽１内に吐出できるようになっている。
【００１３】
一方、ジェットバス装置Ｂは図４に示すように吸い込み口１４と噴出口１５と循環管路３７とジェットポンプ１６と空気取り込み口１７と空気供給路１８とで主体が構成されている。吸い込み口１４及び噴出口１５はともに浴槽１の側壁１ａの下部に設けてあって浴槽１内に連通しており、吸い込み口１４から浴槽１内の浴水を吸い込み、噴出口１５から比較的大きな気泡（以下大気泡という）を含んだ浴水を浴槽１内に噴出できるようになっている。吸い込み口１４と噴出口１５は浴槽１外に配管した循環管路３７にて連通させてある。循環管路３７の途中にはジェットポンプ１６を配置してあり、ジェットポンプ１６を駆動することにより吸い込み口１４から吸い込んだ浴水を噴出口１５から強く噴出するようになっている。浴槽１のフランジ１ｂには空気取り込み口１７を設けてあり、この空気取り込み口１７は空気供給路１８を介して噴出口１５と連通している。噴出口１５にはエジェクター部を設けてあり、噴出口１５から浴水を噴出することで空気取り込み口１７から空気供給路１８を介して取り込んだ空気を浴水に巻き込み、大気泡を含んだ浴水を噴出するようになっている。
【００１４】
また図１及び図４に示すように浴室３８の天井上には浴室３８外の大気を基に酸素濃度を高めたいわゆる酸素富化空気を生成する酸素富化装置１９を設置してある。酸素富化装置１９は有機高分子の平膜より構成された酸素富化膜ユニット２０と、真空ポンプ２１とで主体が構成され、膜を通過する分子の速度差を利用して酸素富化空気を得るものである。真空ポンプ２１の吸引により大気中の空気を取り入れて該空気を酸素富化膜ユニット２０に通した場合には、酸素が窒素よりも速い速度で平膜を通過し、これにより酸素の占める割合が通常の大気（酸素約２１％、窒素約７９％）よりも高い酸素富化空気が得られる。なお本実施形態の酸素富化装置１９には酸素の占める割合が約３０％（窒素が約７０％）の酸素富化空気を生成できるものを用いており、また酸素富化装置１９は駆動時において後述する酸素富化空気供給路２２へ供給される酸素富化空気の単位時間当たりの空気量が一定の値（２．０リットル／ｍｉｎ）となるように設定されている。
【００１５】
上記酸素富化装置１９の真空ポンプ２１の排出側には酸素富化空気供給路２２の一端が接続されており、真空ポンプ２１により前記酸素富化空気供給路２２を介して酸素富化装置１９で得られた酸素富化空気を微細気泡発生装置Ａのエジェクター５及び浴室３８、又はジェットバス装置Ｂの空気取り込み口１７に選択的に供給できるようになっている。即ち本例では上記真空ポンプ２１を送気手段としている。
【００１６】
酸素富化空気供給路２２は分岐点イで２つの空気路２３、２４に分岐しており、分岐点イには酸素富化装置１９から送られた酸素富化空気の流れを、一方の空気路２３側への流れと他方の空気路２４側への流れとに切り換える電磁弁ユニット２５を設けている。２つの空気路２３、２４のうち一方の空気路２３の下流端は図４に示すようにジェットバス装置Ｂの空気供給路１８の途中又は空気取り込み口１７（図示例では空気供給路１８）に連通接続している。また他方の空気路２４は図１に示すように途中でエジェクター側流路２６と浴室側流路２７の２つの分岐路に更に分岐している。
【００１７】
浴室側流路２７の下流端は浴室３８に直接連通する吹き出し口（図示せず）に連通接続してある。吹き出し口は浴槽１のエプロンの下端面や洗い場におけるカウンターの下面等に下方に開口するように設けることが好ましく、このようにすると吹き出し口が浴室３８内の人が直接見えないようにでき、また浴室側流路２７内に発生した結露水が壁等を伝って流下することがなく、浴槽１のエプロンの下端面や洗い場におけるカウンターの下面等の下方に位置する排水溝や排水口等の排水部に直接流下させることができる。
【００１８】
またエジェクター側流路２６の下流端はエジェクター５の空気吸入口１３に連通接続している。エジェクター側流路２６は連結部材２９と連結部材２９よりも上流側の上流部３０と連結部材２９よりも下流側の下流部３１とで構成されている。図５に示すように連結部材２９はその両端に上流部３０及び下流部３１の夫々に連通接続した接続管部３２、３３を有し、内側に有底筒状のオリフィス部材３４を配設している。オリフィス部材３４の底部３４ａの中心には下流側程縮径した細孔からなるオリフィス３５を設けてあり、オリフィス部材３４はその底部３４ａに形成したオリフィス３５が上流部３０に接続された接続管部３２の下流側端部開口に対向するように連結部材２９内に収納されている。オリフィス３５はエジェクター５側へ供給される酸素富化空気の所定時間当たりの空気量が前記微細気泡発生装置Ａによって浴水内に溶解させることができる酸素富化空気の単位時間当たりの空気量よりも少ない所定の値となるようにエジェクター５側へ供給される空気量を調整するものであって、本実施形態ではこのオリフィス３５を空気流量調整手段としている。また図示例のオリフィス部材３４は図５に示すようにその外径ロが上流部３０の内径ハよりも大きく、また連結部材２９のオリフィス３５を収納する部分の内径ニは上流部３０の内径ハよりも大径となっている。また上記酸素富化空気供給路２２は連結部材２９を除いて全てチューブからなり長さ方向において流路面積が同じである。
【００１９】
浴室３８の天井上には図２に示すように制御ボックス４０を設けてあり、制御ボックス４０にて微細気泡発生装置Ａや酸素富化装置１９やジェットバス装置Ｂ、電磁弁ユニット２５の制御ができるようになっている。また浴槽１のフランジ１ｂには微細気泡発生装置Ａやジェットバス装置Ｂを操作する操作スイッチ４１を設けてある。
【００２０】
しかして操作スイッチ４１を操作して、図１に示す微細気泡発生装置Ａの循環ポンプ６を駆動すると共に酸素富化装置１９の真空ポンプ２１を駆動し（この場合ジェットバス装置Ｂは駆動しない）、同時に電磁弁ユニット２５により酸素富化装置１９から送られた酸素富化空気の流れを空気路２３、２４のうち空気路２４側への流れとに切り換えると、図１の破線の矢印で示すように酸素富化装置１９から真空ポンプ２１により酸素富化空気が酸素富化空気供給路２２のエジェクター側流路２６及び浴室側流路２７に同時に供給されることとなる。
【００２１】
エジェクター側流路２６に送られた酸素富化空気は微細気泡発生装置Ａにより以下に示すようにして微細気泡となって浴槽１内に吐出されることとなる。即ち上記真空ポンプ２１及び循環ポンプ６及び電磁弁ユニット２５の制御により、図１の実線の矢印に示すように吸入口２から浴槽１内の浴水が吸い込まれ、この浴水がエジェクター５を通過することで酸素富化装置１９の真空ポンプ２１によって送られてきた酸素富化空気が循環管路４を流れる浴水に混入され、この酸素富化空気が混入された浴水が循環ポンプ６を通過し、この後、溶解タンク７に送られることで浴水中に酸素富化空気が溶け込み、この酸素富化空気が溶解した浴水が吐出口３にて減圧して吐出させられ、この結果、微細気泡を含んだ浴水がミルキー状となって吐出される。これにより浴槽１内の入浴者は微細気泡で包まれることとなって温熱効果が得られる。また入浴者は酸素富化空気からなる微細気泡で包まれるために皮膚呼吸が促進され、またこの場合、浴槽１内の浴水の水面上、即ち入浴者の口や鼻付近にも酸素富化空気が供給され、これにより心肺機能の負担が軽減され、また筋肉中の乳酸が酸素により分解される作用が促進されて疲労回復効果も得られる。さらにはこの場合、浴水の酸素濃度が高まるため、入浴者の皮膚への酸素ガス透過性が高まり、水分の浸透性が高まって肌の角質層が保湿される。
【００２２】
また上記のように微細気泡発生装置Ａを駆動して入浴する時にあっては、同時に前記浴室側流路２７に供給された酸素富化空気が前述した浴室３８内に直接連通する吹き出し口から浴室３８内に吹き出されることとなり、これにより浴室３８内には酸素富化空気が充満することとなって、浴槽１内の浴水の水面付近にある空気の酸素濃度を効率良く高められ、またこの場合には浴室３８の洗い場等で体を洗ったりしている人に対しても効率良く酸素富化空気が供給される。従って入浴者や浴室３８内の浴槽１以外の場所に居る人の心肺機能の負担が一層軽減され、且つ一層の疲労回復効果が与えられることとなる。
【００２３】
また本発明では前述のようにエジェクター側流路２６の途中に流量調整手段を設けているので以下の利点を有する。即ち本発明のようにエジェクター側流路２６の途中に空気流量を調整する流量調整手段（オリフィス３５）を設けていないものを考えた場合、エジェクター側流路２６に送られた酸素富化空気は循環管路４内を流れる浴水によって吸引されてエジェクター５にて混入されるため、エジェクター側流路２６へ送られる酸素富化空気の空気量を少量の所望の値に設定することができない。このため循環管路４に過剰に酸素富化空気が供給されて微細気泡発生装置Ａによって全ての酸素富化空気を浴水に溶解させることができなくなり、この結果余剰の酸素富化空気が大きな気泡となって浴槽１内に吐出されて商品価値を低下させたり、また浴室側流路２７へ送られる酸素富化空気の空気量が低下して浴室３８内の酸素濃度が所望の値とならないといった問題が生じる恐れがある。しかし本発明では前述のようにエジェクター側流路２６の途中に流量調整手段を設けているので、エジェクター側流路２６及び浴室側流路２７の夫々に供給される酸素富化空気の空気量を所望の値とすることができる。具体的にはオリフィス３５をエジェクター側流路２６へ送られる酸素富化空気の空気量が０．５リットル／ｍｉｎ、浴室側流路２７へ送られる酸素富化空気の空気量がエジェクター側流路２６よりも多い１．５リットル／ｍｉｎとなるように設定してあり、即ちこの場合、エジェクター側流路２６への空気供給量である０．５リットル／ｍｉｎが微細気泡発生装置Ａによって浴水内に溶解させることができる単位時間当たりの空気量よりも少ない所定の値となっている。また上記により微細気泡発生装置Ａを駆動した際に浴槽１内に余剰の酸素富化空気が大きな気泡となって浴槽１内に吐出されることを防止でき、商品価値を高めることができる。更には循環ポンプ６の駆動状態にはばらつきがあるため、エジェクター５側への空気供給量は所望の値となり難いのだが、本発明では上記のようにオリフィス３５からなる流量調整手段を設けているため、循環ポンプ６の駆動状態に伴なって変化しやすいエジェクター５への酸素富化空気の供給量を安定させることができ、これにより過剰に酸素富化空気が循環管路４内に供給されて循環ポンプ６がエア噛みを起こす等することを防止できたり、また循環管路４内への酸素富化空気の供給量が少なくて入浴者に対する前述したような効果を与えられないといった事態が生じることを防止できる。また本実施形態では流量調整手段をオリフィス３５とすることで、簡単な構成で上記作用効果を実現できる。
【００２４】
また本実施形態では操作スイッチ４１を操作して、図４に示すジェットバス装置Ｂのジェットポンプ１６を駆動する（この場合微細気泡発生装置Ａは駆動しない）と共に酸素富化装置１９の真空ポンプ２１を駆動し、同時に電磁弁ユニット２５により酸素富化装置１９から送られた酸素富化空気の流れを空気路２３側への流れとに切り換えることで、酸素富化装置１９で生成された酸素富化空気の全量（２．０リットル／ｍｉｎ）をジェットバス装置Ｂに供給し、噴出口１５から酸素富化空気からなる大気泡を有するジェット噴流を浴槽１内に向けて噴出することができるようになっている。即ち上記制御により図４の矢印に示すように浴槽１内の浴水が吸い込み口１４から吸い込まれ、ジェットポンプ１６を介して噴出口１５から浴水が噴出されるが、噴出口１５から浴水が噴出されるとき空気取り込み口１７から取り込まれた空気が浴水に巻き込まれ、気泡を巻き込んだ浴水が入浴者に強く当たるように噴出されて入浴者のマッサージがなされ、またこの際に空気取込み口１７から空気を取り込む時には、空気供給路１８又は空気取り込み口１７には酸素富化空気が供給されているために酸素富化空気を含んだ気泡が噴出され、これにより酸素富化空気が入浴者の口や鼻付近に漂うこととなって、入浴者は肺呼吸を楽にして快適に入浴することができるのである。またこのジェットバス装置Ｂによって浴槽１内に噴出されたジェット噴流に含まれる酸素富化空気からなる大気泡は短時間で浴槽内の浴水の水面まで上昇してはじけることとなり、これにより浴槽１内の浴水の水面付近及び浴室３８の浴槽１近傍以外の空気を効率良く酸素濃度の高い空気とでき、入浴者や浴槽１に入浴していない浴室３８内の人の心肺機能の負担が軽減されると共に疲労回復効果が与えられることとなる。
【００２５】
なお本例では酸素富化空気供給路２２をエジェクター側流路２６と浴室側流路２７とに分岐する位置よりも上流側の分岐点において２つの空気路２３、２４に分岐した例を示したが、空気路２３を設けなくても良い。即ちこの場合ジェットバス装置Ｂの循環管路４に供給される空気は空気取り込み口１７から取り込まれた浴室３８の空気のみからなるものである。またこの場合ジェットバス装置Ｂを設けなくても良い。また本実施形態では流量調整手段をオリフィス３５にて構成したが、例えばエジェクター５側へ供給される空気量が微細気泡発生装置Ａによって浴水内に溶解させることができる単位時間当たりの空気量よりも少ない値となる範囲内でエジェクター側流路２６の流路面積を可変とする弁等により流量調整手段を構成しても良く、この場合、エジェクター側流路２６及び浴室側流路２７へ供給される酸素富化空気の割合を任意に変更できる。
【図面の簡単な説明】
【００２６】
【図１】本発明の実施の形態の一例を示す微細気泡発生装置の動作を説明する説明図である。
【図２】同上の浴室の一部切欠斜視図である。
【図３】同上の微細気泡発生装置の循環管路及びエジェクター側流路を示す一部省略断面図である。
【図４】同上のジェットバス装置の動作を説明する説明図である。
【図５】同上の連結部材の断面図である。
【図６】同上の微細気泡発生浴槽の浴室及び浴室側流路の図示を省略した斜視図である。
【符号の説明】
【００２７】
Ａ  微細気泡発生装置
１  浴槽
２  吸入口
３  吐出口
４  循環管路
５  エジェクター
６  循環ポンプ
１３  空気吸入口
１９  酸素富化装置
２２  酸素富化空気供給路
２６  エジェクター側流路
２７  浴室側流路
３５  オリフィス
【図１】
2006136655.tif 000003
【図２】
2006136655.tif 000004
【図３】
2006136655.tif 000005
【図４】
2006136655.tif 000006
【図５】
2006136655.tif 000007
【図６】
2006136655.tif 000008